(57)【要約】      （修正有）【課題】構造設計原理が簡単で、分解も簡単であり、合理的な構造、正確な光学ズームを備え、組み合わせた光形状、滑らかな角度調整、完全で繊細な光色、高効率の照明器具を実現でき、遠隔フォーカスを実現できる、デジタルズームを実現する光学レンズモジュールを提供する。【解決手段】デジタルズームを実現する光学レンズモジュールは、ＰＭＭＡ材料のレンズモジュール１、レンズモジュールブラケット３、高効率ＬＥＤランプビーズ２及びプリント回路基板４を備える。ブラケットには、ズームレンズモジュールに適合するバヨネットスロットを含み、回路基板に固定される角柱が設けられる。ズームレンズモジュールのサイズは４０〜５０ｍｍである。このズームレンズは、４つの異なる角度の組み合わせのレンズモジュールを採用している。【選択図】図１
0003234270.tif 000002
【実用新案登録請求の範囲】
【請求項１】
デジタルズームを実現する光学レンズモジュールであって、回路基板（４）を備え、前記回路基板（４）には、アレイ状に配置された複数のレンズモジュールブラケット（３）が設けられ、いずれかのレンズモジュールブラケット（３）には、レンズモジュール（１）が設けられ、レンズモジュールブラケット（３）は、少なくとも１つの位置決め柱（５）を介して回路基板（４）に接続され、
回路基板（４）には、複数組のランプ源が設けられ、いずれかの組のランプ源は、レンズモジュール（１）に対応して配置され、いずれかの組のランプ源は、複数の高効率ＬＥＤランプビーズ（２）で構成され、
いずれかの前記レンズモジュール（１）は、第１レンズ（１０１）、第２レンズ（１０２）、第３レンズ（１０３）、及び第４レンズ（１０４）で構成され、
回路基板（４）には、デジタルズームを実現する調光モデルブロックが設けられる、ことを特徴とするデジタルズームを実現する光学レンズモジュール。
【請求項２】
前記第１レンズ（１０１）のビーム角は、第２レンズ（１０２）のビーム角よりも小さく、第２レンズ（１０２）のビーム角は、第３レンズ（１０３）のビーム角よりも小さく、第３レンズ（１０３）のビーム角は、第４レンズ（１０４）のビーム角よりも小さい、ことを特徴とする請求項１に記載のデジタルズームを実現する光学レンズモジュール。
【請求項３】
前記レンズモジュール（１）の第１レンズ（１０１）、第２レンズ（１０２）、第３レンズ（１０３）、及び第４レンズ（１０４）はすべて、レンズモジュールブラケット（３）に集積され、金型で一度に成形され、いずれかのレンズモジュール（１）のレンズの中心は、対応する高効率ＬＥＤランプビーズ（２）と同じ中心点にある、ことを特徴とする請求項１に記載のデジタルズームを実現する光学レンズモジュール。
【請求項４】
前記レンズモジュールブラケット（３）は、長方形構造又は正方形構造を採用する、ことを特徴とする請求項３に記載のデジタルズームを実現する光学レンズモジュール。
【請求項５】
前記第１レンズ（１０１）及び第２レンズ（１０２）の直径は２０〜３０ｍｍであり、高さは１０〜２０ｍｍであり、
第３レンズ（１０３）及び第４レンズ（１０４）の直径は１０〜２０ｍｍであり、高さは１０〜２０ｍｍである、ことを特徴とする請求項３に記載のデジタルズームを実現する光学レンズモジュール。
【請求項６】
前記第１レンズ（１０１）及び第２レンズ（１０２）は、対角線Ａに配置され、第３レンズ（１０３）及び第４レンズ（１０４）は、対角線Ｂに配置され、対角線Ａと対角線Ｂは、同一の平行四辺形の２つの交差する対角線であり、
対角線Ｂ上に２つの位置決め柱（５）が設けられ、２つの位置決め柱（５）は、平行四辺形の中心に沿って対称に配置される、ことを特徴とする請求項３に記載のデジタルズームを実現する光学レンズモジュール。
【請求項７】
前記回路基板（４）は、アルミ基板を採用する、ことを特徴とする請求項１に記載のデジタルズームを実現する光学レンズモジュール。
【請求項８】
前記レンズモジュール（１）はＰＭＭＡ材料を採用し、レンズモジュール（１）の高さは４０〜５０ｍｍである、ことを特徴とする請求項１に記載のデジタルズームを実現する光学レンズモジュール。
【請求項９】
前記調光モデルブロックは、対応する制御信号をＬＥＤの駆動回路に出力してＬＥＤを点灯させることができ、調光モデルブロックのアルゴリズムの制御により、様々な輝度の組み合わせに従って高効率ＬＥＤランプビーズ（２）を点灯させ、高効率ＬＥＤランプビーズ（２）から放出された光は、レンズモジュール（１）を通過した後、様々なサイズの光スポットとして組み合わせられて、デジタルズームを実現する、ことを特徴とする請求項１に記載のデジタルズームを実現する光学レンズモジュール。
【請求項１０】
内部にデジタルズームを実現する光学レンズモジュールを取り付けた照明装置であって、前記光学レンズモジュールは、請求項１〜９のいずれか一項に記載の構造を採用する、ことを特徴とする照明装置。
【考案の詳細な説明】
【技術分野】
【０００１】
本考案は、ＬＥＤ屋外照明光学技術の分野に関し、特に、屋内及び屋外照明器具、ステージ照明器具に適したデジタルズームを実現する光学レンズモジュールに関する。
【背景技術】
【０００２】
現在、ＬＥＤ二次光学技術は成熟している。屋内及び屋外照明器具のズーム方法は、従来の回転構造を使用してレンズと光源の間の距離を調整することで、ズームを実現する。又は、ＬＥＤズームは通常、基本的なレンズと調光シートの組み合わせを使用し、両者間の距離を変更することによってズームを実現する。
【０００３】
照明器具の使用には、次の技術的欠点がある。照明器具のズームは、物理的に距離を変更する必要があり、構造が複雑であり、精度を保証することが容易ではなく、コストが高い。間隔をあけて配置された２層以上のレンズ層を通過した後は、ＬＥＤの全光束損失が大きくなり、照明器具の効率が低下する。
【０００４】
デジタルズームを実現する光学レンズモジュールを設計する方法、及び正確な光学ズームを実現する方法は、解決すべき緊急の課題となっている。
【考案の概要】
【０００５】
上述した従来技術の欠点に鑑みて、本考案の目的は、照明器具のズームのために物理的に距離を変更する必要があり、構造が複雑であり、精度を保証することが容易ではなく、コストが高く、間隔をあけて配置された２層以上のレンズ層を通過した後、ＬＥＤの全光束損失が大きくなり、照明器具の効率が低下するという従来技術の問題を解決する、デジタルズームを実現する光学レンズモジュールを提供することである。
【０００６】
上記の目的を実現するために、本考案は、デジタルズームを実現する光学レンズモジュールを提供する。この光学レンズモジュールは、回路基板を備え、前記回路基板には、アレイ状に配置された複数のレンズモジュールブラケットが設けられ、いずれかのレンズモジュールブラケットにはレンズモジュールが設けられ、レンズモジュールブラケットは、少なくとも１つの位置決め柱を介して回路基板に接続される。
この技術的解決手段を採用することにより、位置決め柱は焦点距離を効果的に制御し、デジタルズームの安定性を保証することができる。
回路基板には、複数組のランプ源が設けられ、いずれかの組のランプ源は、レンズモジュールに対応して配置され、いずれかの組のランプ源は、複数の高効率ＬＥＤランプビーズで構成される。
いずれかの前記レンズモジュールは、第１レンズ、第２レンズ、第３レンズ、及び第４レンズで構成される。
【０００７】
本考案の一実施例では、前記第１レンズのビーム角は、第２レンズのビーム角よりも小さく、第２レンズのビーム角は、第３レンズのビーム角よりも小さく、第３レンズのビーム角は、第４レンズのビーム角よりも小さい。
【０００８】
本考案の一実施例では、前記レンズモジュールの第１レンズ、第２レンズ、第３レンズ、及び第４レンズはすべて、レンズモジュールブラケットに集積され、金型で一度に成形され、いずれかのレンズモジュールのレンズの中心は、対応する高効率ＬＥＤランプビーズと同じ中心点にある。
【０００９】
本考案の一実施例では、前記レンズモジュールブラケットは、長方形構造又は正方形構造を採用する。
【００１０】
本考案の一実施例では、第１レンズ及び第２レンズの直径は２０〜３０ｍｍであり、高さは１０〜２０ｍｍである。
第３レンズ及び第４レンズの直径は１０〜２０ｍｍであり、高さは１０〜２０ｍｍである。
【００１１】
本考案の一実施例では、前記第１レンズ及び第２レンズは、対角線Ａに配置され、第３レンズ及び第４レンズは、対角線Ｂに配置され、対角線Ａと対角線Ｂは、同一の平行四辺形の２つの交差する対角線である。
対角線Ｂ上に２つの位置決め柱が設けられ、２つの位置決め柱は、平行四辺形の中心に沿って対称に配置される。
【００１２】
本考案の一実施例では、前記回路基板は、アルミ基板を採用し、アルミ基板には、デジタルズームを実現する調光モデルブロックが設けられる。
【００１３】
本考案の一実施例では、前記レンズモジュールはＰＭＭＡ材料を採用し、レンズモジュールの高さは４０〜５０ｍｍである。
この技術的解決手段を採用することは次の利点を有する。ＰＭＭＡ材料は、化学的安定性が良好であり、透明性が高く、価格が低く、機械加工が容易であるなどの利点を有する。ＰＭＭＡ材料のレンズモジュールは、優れた光透過率を持ち、ガラスよりも高い光透過度を有し、光透過率が９３％であり、屈折率が１．４９１である。
【００１４】
本考案の一実施例では、前記調光モデルブロックは、対応する制御信号をＬＥＤの駆動回路に出力してＬＥＤを点灯させることができ、調光モデルブロックのアルゴリズムの制御により、様々な輝度の組み合わせに従って高効率ＬＥＤランプビーズを点灯させ、高効率ＬＥＤランプビーズから放出された光は、レンズモジュールを通過した後、様々なサイズの光スポットとして組み合わせられ、デジタルズームを実現する。
【００１５】
本考案は照明装置を提供する。この照明装置は、その内部に取り付けられた、デジタルズームを実現する光学レンズモジュールを備える。光学レンズモジュールは、レンズモジュール、高効率ＬＥＤランプビーズ、レンズモジュールブラケット、及び回路基板を備える。
【００１６】
上述のように、本考案のデジタルズームを実現する光学レンズモジュールは合理的な構造を有しており、物理的に距離を変更する必要があって構造が複雑であり精度の保証が容易でなくコストが高いという既存の問題を解決する。回路基板上の調光モデルブロックにより、デジタルズームが実現される。４つの角度の組み合わせのレンズモジュールが採用され、分解が簡単であり、光学ズームが正確であり、組み合わせた光形状、滑らかな角度調整、完全で繊細な光色、高効率の照明器具が実現され得る。ＤＭＸ５１２コントローラーやＷＩＦＩなどの様々な形で超遠隔フォーカスが実現され得る。普及と適用は、経済的及び社会的利益をもたらす。
【図面の簡単な説明】
【００１７】
【図１】本考案の取り付け構造模式図である。
【図２】図１の正面図である。
【図３】本考案のレンズモジュールの構造模式図である。
【図４】図３の底面図である。
【図５】本考案のレンズモジュールの光スポット図である。
【図６】本考案のレンズモジュールの実際の光効果図である。
【符号の説明】
【００１８】
１  レンズモジュール
２  高効率ＬＥＤランプビーズ
３  レンズモジュールブラケット
４  回路基板
５  位置決め柱
１０１  第１レンズ
１０２  第２レンズ
１０３  第３レンズ
１０４  第４レンズ
【考案を実施するための形態】
【００１９】
以下の具体的な実施例は、本考案の実施形態を示す。本明細書に開示された内容から、当業者であれば、本考案の他の利点及び効果を容易に理解できる。
【００２０】
図１〜図６を参照されたい。なお、本明細書の添付図面に示されている構造、比例、サイズなどは、いずれも当業者が理解して読むために本明細書に開示されている内容に合わせてのみ使用され、本考案の実施を限定する条件ではないので、技術的に実質的な意味を持っていない。また、この実用的な新しい実装可能な認定条件を認定するために使用することはできない。本考案の効果と達成可能な目的に影響を与えない限り、構造の修正、比例関係の変更、又はサイズの調整は、本考案に開示される技術的内容の範囲内に含まれるべきである。同時に、本明細書に記載されている「上」、「下」、「左」、「右」、  「中間」、「一」などの用語も、説明を容易にするためだけのものであり、本考案の実施可能な範囲を制限するものではない。相対関係の変更又は調整は、技術内容に実質的な変更を加えない限り、本考案の実施可能な範囲と見なされる。
【００２１】
図１に示すよう、本考案は、デジタルズームを実現する光学レンズモジュールを提供する。この光学レンズモジュールは、回路基板４を備え、前記回路基板４には、アレイ状に配置された複数のレンズモジュールブラケット３が設けられ、いずれかのレンズモジュールブラケット３にはレンズモジュール１が設けられ、レンズモジュールブラケット３は、少なくとも１つの位置決め柱５を介して回路基板４に接続される。この技術的解決手段を採用することにより、位置決め柱は、焦点距離を効果的に制御することができ、デジタルズームの安定性を保証することができる。
【００２２】
図２に示すように、回路基板４には、複数組のランプ源が設けられ、いずれかの組のランプ源は、レンズモジュール１に対応して配置され、いずれかの組のランプ源は、複数の高効率ＬＥＤランプビーズ２で構成される。
【００２３】
図４に示すように、いずれかの前記レンズモジュール１は、第１レンズ１０１、第２レンズ１０２、第３レンズ１０３、及び第４レンズ１０４からなる。
【００２４】
前記第１レンズ１０１のビーム角は、第２レンズ１０２のビーム角よりも小さく、第２レンズ１０２のビーム角は、第３レンズ１０３のビーム角よりも小さく、第３レンズ１０３のビーム角は、第４レンズ１０４のビーム角よりも小さい。
【００２５】
前記レンズモジュール１の第１レンズ１０１、第２レンズ１０２、第３レンズ１０３、及び第４レンズ１０４はすべて、レンズモジュールブラケット３に集積され、金型で一度に成形される。いずれかのレンズモジュール１のレンズの中心は、対応する高効率ＬＥＤランプビーズ２と同じ中心点にある。
【００２６】
前記レンズモジュールブラケット３は、長方形構造又は正方形構造を３採用する。
【００２７】
図３に示すように、前記第１レンズ１０１及び第２レンズ１０２の直径は２０〜３０ｍｍであり、高さは１０〜２０ｍｍである。
【００２８】
第３レンズ１０３及び第４レンズ１０４の直径は１０〜２０ｍｍであり、高さは１０〜２０ｍｍである。
【００２９】
前記第１レンズ１０１及び第２レンズ１０２は、対角線Ａに配置され、第３レンズ１０３及び第４レンズ１０４は、対角線Ｂに配置され、対角線Ａと対角線Ｂは、同一の平行四辺形の２つの交差する対角線である。
【００３０】
対角線Ｂ上には、２つの位置決め柱５が設けられ、２つの位置決め柱５は、平行四辺形の中心に沿って対称に配置される。
【００３１】
前記回路基板４は、アルミ基板を採用し、アルミ基板には、デジタルズームを実現する調光モデルブロックが設けられる。
【００３２】
前記レンズモジュール１は、ＰＭＭＡ材料を採用する。即ち、レンズはすべて、ポリメタクリ酸メチルのレンズである。この技術的解決手段を採用することは、次の利点を有する。ＰＭＭＡ材料は、化学的安定性が良好であり、透明性が高く、価格が低く、機械加工が容易であるなどの利点を有する。ＰＭＭＡ材料のレンズモジュールは、優れた光透過率を持ち、ガラスよりも高い光透過度を有し、光透過率が９３％であり、屈折率が１．４９１である。
【００３３】
レンズモジュール１の高さは４０〜５０ｍｍである。
【００３４】
前記調光モデルブロックは、対応する制御信号をＬＥＤの駆動回路に出力してＬＥＤを点灯させることができ、調光モデルブロックのアルゴリズムの制御により、様々な輝度の組み合わせに従って高効率ＬＥＤランプビーズ２を点灯させ、高効率ＬＥＤランプビーズ２から放出された光は、レンズモジュール１を通過した後、様々なサイズの光スポットとして組み合わせられて、デジタルズームを実現する。
【００３５】
具体的な実施において、本考案のズームの実現原理は次のとおりである。この部材は、４つの角度のレンズを組み合わせ（例えば、第１レンズ１０１のビーム角は７°であり、第２レンズ１０２のビーム角は１２°であり、第３レンズ１０３のビーム角は２４°であり、第４レンズ１０４のビーム角は３６°である）、調光モデルブロックを介して対応する制御信号をＬＥＤの駆動回路に出力してＬＥＤを点灯させる。調光モデルブロックのアルゴリズム制御下で、７°、１２°、２４°、３６°レンズに対応する高効率ＬＥＤランプビーズ２は、一定の輝度比に従ってそれぞれ点灯する。高効率ＬＥＤランプビーズ２から放出された光は、レンズを通過した後、様々なサイズの光スポットとして組み合わせられる。例えば、７°レンズに対するＬＥＤのみが点灯すると、光スポットは集まって、７°レンズの光スポットを形成する。７°レンズに対応するＬＥＤの輝度を下げ、１２°レンズに対応するＬＥＤの輝度を上げると、形成する光スポットは７°と１２°の間になる。７°レンズに対応するＬＥＤの輝度が０に減少し、１２°レンズに対応するＬＥＤの輝度が１００％輝度に達すると、光スポットは、１２°レンズの光スポットとして現れる。
【００３６】
実施例１は、照明装置であって、本考案の構造を備える。本考案の構造は、照明装置の内部に取り付けられる。光学レンズモジュールは、レンズモジュール１、高効率ＬＥＤランプビーズ２、レンズモジュールブラケット３、及び回路基板４を備え、デジタルズームを実現する。レンズモジュールの光スポット図は図５に示される。
【００３７】
レンズモジュールの実際の光効果図は図６に示される。
【００３８】
実施例２において、本考案は、ＤＭＸ５１２コントローラーやＷＩＦＩなどの様々な形態で超遠隔フォースを実現する。そのうち、ＤＭＸ５１２コントローラーは、標準のＤＭＸ５１２制御信号を出力し、複数のＤＭＸ照明器具をカスケード接続し、ＬＥＤ  ＤＭＸ駆動と連携して完全なＤＭＸ制御システムを形成することができる。ルーターをアクセスポイントとして使用すると、携帯電話とＷｉＦｉの両方が同じルーターに接続され、ＷｉＦｉネットワークを介して携帯電話と通信し、無線でカスケード接続して携帯電話調光を実現する。制御数が増加するとともに、制御距離が延長される。
【００３９】
実施例３において、本考案のレンズモジュールブラケット３には、このズームレンズモジュール１に適合するバヨネットスロットが開発された。このブラケットには、回路基板４に固定される位置決め柱である角柱が設けられる。ズームレンズモジュールのサイズは４０〜５０ｍｍである。このズームレンズは、構造設計原理が簡単である。第１レンズ１０１のビーム角は第２レンズ１０２のビーム角よりも小さく、第２レンズ１０２のビーム角は第３レンズ１０３のビーム角よりも小さく、第３レンズ１０３のビーム角は第４レンズ１０４のビーム角よりも小さい。４つの角度の組み合わせのレンズモジュールは分解されやすい。
【００４０】
実施例４において、本考案の調光モデルブロックは調光回路を採用し、調光回路によってＬＥＤの発光輝度を制御する。調光回路の制御下で、第１レンズ１０１、第２レンズ１０２、第３レンズ１０３、及び第４レンズ１０４に対応する高効率ＬＥＤランプビーズ２は、それぞれ一定の輝度比で点灯する。高効率ＬＥＤランプビーズ２から放出された光は、レンズを通過した後、様々なサイズの光スポットとして組み合わせられて、デジタルズームを実現する。
【００４１】
上述のように、本考案により提供されるデジタルズームを実現する光学レンズモジュールは合理的な構造を有しており、物理的に距離を変更する必要があり構造が複雑で精度の保証が容易ではなくコストが高いという既存の問題を解決する。回路基板上の調光モデルブロックにより、デジタルズームが実現される。４つの角度の組み合わせのレンズモジュールが採用され、分解が簡単であり、光学ズームが正確であり、組み合わせた光形状、滑らかな角度調整、完全で繊細な光色、高効率の照明器具が実現され得る。ＤＭＸ５１２コントローラーやＷＩＦＩなどの様々な形で超遠隔フォーカスが実現され得る。そのため、本考案は、従来技術の様々な欠点を効果的に克服し、高い工業的価値を有する。
【００４２】
上述の実施例は、本考案の原理及び効果を例示的に示すだけであり、本考案を限定するために使用されない。この技術に詳しい人なら誰でも、本考案の精神及び範囲から逸脱することなく、上述の実施例を修正又は変更することができる。従って、本考案に開示されている精神と技術的思想から逸脱することなく、当業者によって行われるすべての同等の修正または変更は、実用新案登録請求の範囲に含まれる。
【図１】
0003234270.tif 000003
【図２】
0003234270.tif 000004
【図３】
0003234270.tif 000005
【図４】
0003234270.tif 000006
【図５】
0003234270.tif 000007
【図６】
0003234270.tif 000008